(57)【要約】【課題】  無線端末において、表示部に表示される映像に対し異なる映像を重畳して表示する場合、表示のレスポンスを向上させる。【解決手段】  ＴＶ本体５は、第２のＳＳ−ＣＰＵ８５と、第２ＡＶセレクタ６７と、ＴＶマイコン６６と、ＯＳＤ合成部９３ａとを含む。第２のＳＳ−ＣＰＵ８５は、ワイヤレスセンタ３から、テレビ番組の映像のデータと、ＥＰＧデータとを受信する。第２ＡＶセレクタ６７は、テレビ番組の映像のデータに基づいて映像を生成する。ＴＶマイコン６６は、ＥＰＧデータに基づいてＥＰＧ映像を生成する。ＯＳＤ合成部９３ａは、ＴＶモニタ７１に表示されるテレビ番組の映像に対してＥＰＧ映像を重畳する。これにより、テレビ番組の映像に対してＥＰＧ映像を重畳して表示する場合、利用者の指示の入力に対する応答速度を向上できる。【選択図】  図３
2004336734.tif 000002
【特許請求の範囲】
【請求項１】
ベース機器との間でデータの送受信を行う無線端末であって、
ベース機器から、第一の映像のデータと、ベース機器および／または無線端末に関連する関連データとを受信する受信手段と、
上記第一の映像のデータに基づいて第一の映像を生成する第一映像生成手段と、
上記関連データに基づいて第二の映像を生成する第二映像生成手段と、
上記第一の映像に対して第二の映像を重畳し、重畳した映像を表示部に表示する映像重畳手段と、
を含むことを特徴とする無線端末。
【請求項２】
上記受信手段が受信する上記関連データを記憶する記憶部を含み、
上記第二映像生成手段は、上記記憶部に記憶されている関連データに基づいて、第二の映像を生成することを特徴とする請求項１に記載の無線端末。
【請求項３】
上記第二映像生成手段は、上記無線端末が保持するテンプレートデータに対して上記関連データを付加することにより第二の映像を生成することを特徴とする請求項１または２に記載の無線端末。
【請求項４】
上記第一の映像とは、テレビ放送の映像であり、上記関連データとは、ＥＰＧデータであることを特徴とする請求項１ないし３のいずれか１項に記載の無線端末。
【請求項５】
請求項１ないし４のいずれか１項に記載の無線端末へ上記第一の映像のデータおよび上記関連データを送信する送信手段を含むことを特徴とするベース機器。
【請求項６】
請求項１ないし４のいずれか１項に記載の無線端末と、
請求項１ないし４のいずれか１項に記載の無線端末へ上記第一の映像のデータおよび上記関連データを送信する送信手段を含むベース機器と、
から構成されることを特徴とするワイヤレスシステム。
【請求項７】
ベース機器との間でデータの送受信を行う無線端末の制御方法であって、
ベース機器から、第一の映像のデータと、ベース機器および／または無線端末に関連する関連データとを受信するステップと、
上記第一の映像のデータに基づいて第一の映像を生成するステップと、
上記関連データに基づいて第二の映像を生成するステップと、
上記第一の映像に対して第二の映像を重畳し、重畳した映像を表示部に表示するステップと、
を含むことを特徴とする無線端末の制御方法。
【請求項８】
請求項１ない４のいずれか１項に記載の無線端末を動作させる制御プログラムであって、コンピュータを上記の各手段として機能させるための無線端末の制御プログラム。
【請求項９】
請求項８に記載の無線端末の制御プログラムを記録したコンピュータ読み取り可能な記録媒体。
【発明の詳細な説明】
【技術分野】
【０００１】
本発明は、無線端末、ベース機器、ワイヤレスシステム、無線端末の制御方法、無線端末の制御プログラム、およびそれを記録したコンピュータ読み取り可能な記録媒体に関する。
【背景技術】
【０００２】
近年、映像及び音声等の受信・再生システム（ＡＶシステム）において、映像を再生（表示）するためのモニタ部として薄型の液晶表示装置を用いたものが多く開発されている。液晶表示装置を用いると、大画面の表示も可能であるにもかかわらず、表示装置自体を軽量かつ薄型にすることができるという大きな利点がある。
【０００３】
さらに、テレビ受像器のチューナ部（ベース機器）とモニタ部（無線端末）とを分離し、チューナ部からモニタ部に映像信号と音声信号とをワイヤレス伝送するシステムが開示されている。このシステムにおいては、分離したチューナ部にアンテナ線を接続して選局し、その選局した映像と音声信号をモニタ部にワイヤレス伝送して映像と音声信号を再生することができる（例えば特許文献１、２参照）。
【特許文献１】特開２００１−１６０９２７号公報
【特許文献２】特開２００１−３５８９６６号公報
【発明の開示】
【発明が解決しようとする課題】
【０００４】
また、テレビ受像器のチューナ部とモニタ部とを分離してワイヤレスで接続された上記システムにおいて、ＧＵＩ（graphical user interface，グラフィック・ユーザ・インターフェイス）をモニタ部に表示させ、利用者が上記ＧＵＩによってシステムを操作できるものがある。具体的に説明すると、モニタ側でＧＵＩを操作するためのキー入力を行い、ＧＵＩ開始／終了、カーソル上／下／左／右キーなどをワイヤレス伝送に用いられるコマンドに変換する。チューナ側でＧＵＩ開始／終了、カーソル上／下／左／右キーに関連するコマンドを受け取ってこれをデコードし、チューナ側でＧＵＩを生成するＯＳＤ機能を活用して出力し、ＧＵＩ映像を含む映像信号（ビデオ信号）をワイヤレスＡＶ伝送の送信部に出力し、ＡＶストリームに変換してモニタ側に出力する。モニタ側でこれを受け取り、ＧＵＩ映像を含む映像信号をデコードしてモニタに表示する。
【０００５】
上記システムにおいては、チューナ側でＯＳＤを重畳した形でＭＰＥＧ２形式にエンコードしモニタ側に送る。モニタ側でこのエンコード信号をデコードしてモニタ部に表示するため、ＭＰＥＧ２へのエンコード時間とデコードする時間とにより遅延が発生しＯＳＤ入力に対する表示レスポンスが悪くなること、ＧＵＩ表示品位が劣化するという問題があった。
【０００６】
この問題について、さらに詳細に説明する。以上のシステムにおいて、モニタ部は、利用者からのＧＵＩ映像表示の指示を入力すると、ＧＵＩ映像の表示の要求コマンドをチューナ部へ送信する。この要求コマンドを受けたチューナ部は、上記のＧＵＩ映像の生成処理を行う。そして、チューナ部は、テレビ放送に関する映像信号に上記のＧＵＩ映像のデータを重畳し、重畳した映像信号をＭＰＥＧ２形式でエンコードし、このエンコードした信号をモニタ部へ送信する。さらに、モニタ部は、チューナ部から受信するエンコードされた信号をデコードし、テレビ放送の映像上にＧＵＩ映像を重畳した映像を表示する。
【０００７】
以上のシステムでは、チューナ部側においてテレビ放送の映像上にＧＵＩ映像を重畳している。したがって、テレビ放送の映像上にＧＵＩ映像を重畳した映像の信号をエンコードして送信し、モニタ側において、このエンコードされたデータを受信してデコードするという手順が必要になる。ここで、テレビ放送用の映像に対してＧＵＩ映像を重畳し、重畳した映像のデータをエンコード、デコードする場合、単にテレビ放送用の映像のデータをエンコード・デコードする場合よりも、データの送信が大幅に遅延する。したがって、以上のシステムでは、利用者からの指示の入力に対するＧＵＩ映像表示のレスポンスが悪化するという問題が生じていた。また、以上のシステムでは、チューナ部とモニタ部との間において通信状態が悪化すると、モニタ部において表示されるテレビ放送用の映像が劣化するが、これと共に重畳されるＧＵＩ映像も劣化してしまうという問題が生じていた。
【０００８】
本発明は、以上の問題に鑑みてなされたものであり、第一の映像に第二の映像を重畳して表示部に表示する際のレスポンスの悪化を抑制する無線端末、ベース機器、ワイヤレスシステム、無線端末の制御方法、無線端末の制御プログラム、およびそれを記録したコンピュータ読み取り可能な記録媒体を提供することを目的とする。
【課題を解決するための手段】
【０００９】
上記目的を達成するために、本発明の無線端末は、ベース機器との間でデータの送受信を行う無線端末であって、ベース機器から、第一の映像のデータと、上記ベース機器および／または無線端末に関連する関連データとを受信する受信手段と、上記第一の映像のデータに基づいて第一の映像を生成する第一映像生成手段と、上記関連データに基づいて第二の映像を生成する第二映像生成手段と、上記第一の映像に対して第二の映像を重畳し、重畳した映像を表示部に表示する映像重畳手段と、を含むことを特徴とする。
【００１０】
また、上記の目的を達成するために、本発明の無線端末の制御方法は、ベース機器との間でデータの送受信を行う無線端末の制御方法であって、ベース機器から、第一の映像のデータと、上記ベース機器および／または無線端末に関連する関連データとを受信するステップと、上記第一の映像のデータに基づいて第一の映像を生成するステップと、上記関連データに基づいて第二の映像を生成するステップと、上記第一の映像に対して第二の映像を重畳し、重畳した映像を表示部に表示するステップと、を含むことを特徴とする。
【００１１】
上記構成によれば、ベース機器から第一の映像のデータを受信し、上記第一の映像のデータに基づいて第一の映像を生成すると共に、ベース機器から上記関連データを受信し、上記関連データに基づいて第二の映像を生成している。さらに、上記第一の映像に対して第二の映像を重畳し、重畳した映像を表示部に表示している。つまり、上記構成によれば、第二の映像の生成処理、および第一の映像と第二の映像との重畳処理を無線端末にて実施している。したがって、上記構成によれば、これらの処理をベース機器側で行っている従来の構成と比べ、重畳した映像のデータをエンコード・デコードする必要がないため、第一の映像と第二の映像とを重畳した映像の表示に関し、利用者の指示の入力に対する応答速度を向上できる。
【００１２】
なお、上記の第一の映像には、上記ベース機器が受信するテレビ放送の映像、ビデオデッキまたはＤＶＤ（Digital Versatile Disc）レコーダから再生される映像が含まれる。また、テレビ放送用の映像には、地上波アナログ放送、地上波デジタル放送のテレビ映像のみならず、衛星放送の映像、データ放送の映像、ＣＡＴＶ放送を受信したセットトップボックスから出力される映像（ＣＡＴＶ放送の映像）も含まれる。また、上記の関連データには、例えば、ベース機器および／または無線端末の設定状態を示すデータ、ベース機器が受信するテレビ放送に関するデータ（例えば、ＥＰＧデータ）等が含まれる。また、上記の第二の映像には、上記ベース機器および／または無線端末を操作するためのＧＵＩ映像、上記ベース機器および／または無線端末の設定状態を示した画像、ＥＰＧ（Electronic Program Guide）映像等がある。
【００１３】
本発明の無線端末は、上記構成に加えて、上記受信手段が受信する上記関連データを記憶する記憶部を含み、上記第二映像生成手段は、上記記憶部に記憶されている関連データに基づいて、第二の映像を生成することを特徴とする。
【００１４】
上記構成によれば、ベース機器から受信した関連データは記憶部に記憶されることになる。従って、利用者から上記重畳した映像を表示する指示が入力された時点で、既に関連データが記憶部に記憶されていれば、直ぐに第二の映像を生成できる。
【００１５】
なお、無線端末とベース機器との間で通信状態が悪化しても、利用者から上記重畳した映像を表示する指示が入力された時点で既に記憶部に関連データが記憶されていれば、悪化した通信状態の影響を受けずに第二の映像を生成することができ、第二の映像を劣化させることなく表示部に表示させることができる。
【００１６】
本発明の無線端末は、上記構成に加えて、上記第二映像生成手段は、上記無線端末が保持するテンプレートデータに対して上記関連データを付加することにより第二の映像を生成することを特徴とする。
【００１７】
上記構成によれば、第二の映像とは、テンプレートデータ（定型データ）に対して上記関連データを付加することにより生成されるものであるため、第二の映像には定型箇所と非定型箇所とがある。ここで、上記のテンプレートデータは無線端末が所持しているものであるため、無線端末とベース機器との間で通信状態が悪化しても、上記重畳した映像における第二の映像の定型箇所については通信状態の悪化の影響を受けない。
【００１８】
これに対し、従来のように、第二の映像の生成処理および第一の映像と第二の映像とを重畳する処理をベース機器側で行った場合、無線端末とベース機器との間で通信状態が悪化すると、第二の映像の定型箇所を含め、重畳した映像全体が劣化してしまう。
【００１９】
本発明の無線端末は、上記構成に加えて、上記第一の映像とは、テレビ放送の映像であり、上記関連データとは、ＥＰＧデータであることを特徴とする。
【００２０】
上記構成によれば、ＥＰＧデータに基づいて第二の映像を生成し、この第二の映像をテレビ放送の映像に重畳して表示している。したがって、利用者からすれば、番組ガイドを確認しながら、テレビ番組を鑑賞することが可能になる。なお、テレビ放送用の映像には、地上波アナログ放送、地上波デジタル放送のテレビ映像のみならず、衛星放送の映像、データ放送の映像、ＣＡＴＶ放送を受信したセットトップボックスから出力される映像（ＣＡＴＶ放送の映像）も含まれる。
【００２１】
上記目的を達成するために、本発明のベース機器は、上記無線端末へ上記第一の映像のデータおよび上記関連データを送信する送信手段を含むことを特徴とする。
【００２２】
上記構成によれば、第二の映像の生成処理、および第一の映像と第二の映像との重畳処理を無線端末にて実施していることになる。したがって、これらの処理をベース機器側で行っている構成と比べ、重畳した映像のデータをエンコード・デコードする必要がないため、第一の映像と第二の映像とを重畳した映像の表示に関し、利用者の指示の入力に対する応答速度を向上できる。
【００２３】
上記目的を達成するために、本発明のワイヤレスシステムは、上記無線端末と、上記無線端末へ上記第一の映像のデータおよび上記関連データを送信する送信手段を含むベース機器と、から構成される。
【００２４】
上記構成によれば、第二の映像の生成処理、および第一の映像と第二の映像との重畳処理を無線端末にて実施していることになる。したがって、これらの処理をベース機器側で行っている構成と比べ、重畳した映像のデータをエンコード・デコードする必要がないため、第一の映像と第二の映像とを重畳した映像の表示に関し、利用者の指示の入力に対する応答速度を向上できる。
【００２５】
なお、上記無線端末は、コンピュータによって実現してもよく、この場合には、コンピュータを上記各手段として動作させることにより上記無線端末をコンピュータにて実現させる無線端末の制御プログラムを記録したコンピュータ読み取り可能な記録媒体も、本発明の範疇に入る。
【発明の効果】
【００２６】
以上のように、本発明の無線端末は、ベース機器との間でデータの送受信を行う無線端末であって、ベース機器から、第一の映像のデータと、ベース機器および／または無線端末に関連する関連データとを受信する受信手段と、上記第一の映像のデータに基づいて第一の映像を生成する第一映像生成手段と、上記関連データに基づいて第二の映像を生成する第二映像生成手段と、上記第一の映像に対して第二の映像を重畳し、重畳した映像を表示部に表示する映像重畳手段と、を含む構成である。
【００２７】
それゆえ、第一の映像と第二の映像とを重畳した映像の表示に関し、利用者の指示の入力に対する応答速度を向上できるという効果を奏する。
【発明を実施するための最良の形態】
【００２８】
〔実施の形態１〕
本発明の実施の形態に係るワイヤレスＡＶシステム（テレビ受信・再生システム）は、モニタ側（ＡＶ出力装置）とチューナを備えたワイヤレスセンタとが分離されている形態を有し、主としてワイヤレスで両者間の通信を行うシステムである。かかるシステムにおいて、モニタ側に、ＧＵＩを操作するための入力部と、該入力部において入力された入力内容に関するＯＳＤ（on screen display）を生成しモニタ側の表示部に表示させる制御を行うとともに、表示部に表示されたＯＳＤに基づき制御データを確定し、制御データを確定させた後にその制御データをチューナ側に送る構成を有している。
【００２９】
以下、本発明の実施の形態に係るワイヤレスＡＶシステムについて、モニタ側においてテレビ放送の表示等を行うシステムを例にして説明する。モニタ側に表示されるＧＵＩは、例えばワイヤレスＡＶシステムにおける様々なメニュー表示を提供するものである。
【００３０】
以下、本発明の一実施の形態によるワイヤレスＡＶシステムについて図面を参照しつつ説明を行う。図１は、本実施の形態によるワイヤレスＡＶシステムの構成例を示す図である。図２は、本実施の形態によるワイヤレスＡＶシステムにおけるワイヤレスセンタ（チューナ側装置）の構成例を示す機能ブロック図である。図３は、本実施の形態によるワイヤレスＡＶシステムにおけるＴＶ本体（モニタ側装置）の構成例を示す機能ブロック図である。図４は、本実施の形態によるワイヤレスＡＶシステムにおいてワイヤレスセンタとＴＶ本体との間で送受信されるデータの構造の一例を示す図である。図５は、リモートコントロール装置の構成例である。図６及び図７は、本発明の実施の形態によるワイヤレスＡＶシステムにおけるＧＵＩ映像の表示例を示す図である。図８は、本実施の形態によるワイヤレスＡＶシステムにおける処理例の流れを示すフローチャートである。
【００３１】
図１に示すように、本実施の形態によるワイヤレスＡＶシステム１は、チューナ側のワイヤレスセンタ３と、バッテリー内蔵の液晶モニタ付きのＴＶ本体（テレビ本体）５とを含んで構成されている。
【００３２】
また、図９に示すように、ＴＶ本体５は、バッテリー内蔵でワイヤレスである。また、リモートコントローラを備えて、ビデオデッキなどのリモコン操作ができるようになっている。また、ワイヤレスセンタ３は、ＢＳやＵ／Ｖ等のアンテナやＤＶＤプレーヤやビデオデッキ等のＡＶ機器、ＣＡＴＶ用セットトップボックス等に接続されている。そして、ワイヤレスセンタ３からＴＶ本体５へ、テレビ番組等の映像及び／又は音声データがワイヤレス伝送されるようになっている。
【００３３】
つぎに、ワイヤレスＡＶシステム１の構成について具体的に説明する。図１に示すように、ワイヤレスセンタ３は、外部入力切換のための端子である、ビデオ１入力（Ｓ端子付き）端子７ａと、ビデオ２入力（デコーダ入力）端子７ｂと、ビデオ３入力（モニタ／ＢＳ出力兼用）端子７ｃと、ＡＣ電源端子１１ａ及びＣａｒ−ＤＣ端子１１ｂと、ＢＳアンテナ１５ａ、ＵＨＦ／ＶＨＦアンテナ１５ｂと、ダイバーシティーアンテナ１５ｃとを有している。一方、ＴＶ本体５は、ビデオ４入力（ＴＶ出力）端子２１と、ＡＣ電源端子２３ａ及びＣａｒ−ＤＣ端子２３ｂと、を有している。
【００３４】
ワイヤレスセンタ３とＴＶ本体５とは、例えばＩＥＥＥ８０２.１１ｂ規格に基づく無線方式により、互いにデータの送受信を行うことが可能である。ワイヤレスセンタ３からＴＶ本体５に向けて、無線によりＭＰＥＧ２ストリーム情報が送られるとともに、その他のコマンドデータなどが両者間で双方向通信により伝送される。
【００３５】
つぎに、ワイヤレスセンタ３の構成例について図２を参照して説明する。図１において説明した構成要素については説明を省略する。図２に示すように、ワイヤレスセンタ３は、ワイヤレスセンタ３全体を制御するワイヤレスセンタマイコン４１と、第１ＡＶセレクタ４３と、ＳＳ（Spread Spectrum：スペクトラム拡散）送受信ユニット４５と、を有している。ビデオ１入力端子（外部入力１）７ａ，ビデオ２入力端子（外部入力２）７ｂ，ビデオ３入力端子（外部入力３）７ｃは、例えばビデオデッキやＤＶＤレコーダ等の外部装置からの映像信号および／または音声信号を第１ＡＶセレクタへ入力するための端子である。
【００３６】
さらに、ワイヤレスセンタ３は、ＢＳ（broadcasting satellite）放送を受信するＢＳアンテナ１５ａに接続されるＢＳチューナ３３と、テレビ放送（アナログ放送またはデジタル放送）を受信するＵＨＦ／ＶＨＦアンテナ１５ｂに接続されるＵ／Ｖチューナ３１と、を有している。また、ワイヤレスセンタ３においては、ワイヤレスセンタマイコン４１が出力する選局コマンド３１ａに基づいてテレビ番組の選局処理が行われる。選局処理が行われた後、Ｕ／Ｖチューナ３１またはＢＳチューナ３３から出力される信号は、映像・音声復調器３５に入力し、映像信号（第一の映像のデータ）および音声信号に復調される。また、復調された音声信号は、音声切換部３７において、ワイヤレスセンタマイコン４１が出力する音声切換コマンド３７ａに基づいて音声切換処理が行われる。さらに、復調された映像信号と音声切換処理が行われた後の音声信号とは、第１ＡＶセレクタ４３に入力される。ここで、第１ＡＶセレクタ４３は、ワイヤレスセンタマイコン４１からのソース選択信号４３ａに基づいてソース選択処理を行い、選択した映像信号および音声信号をＳＳ送受信ユニット４５に入力する。
【００３７】
また、ワイヤレスセンタマイコン４１は、ＥＥＰＲＯＭ（第１記憶手段）４７に格納されている各種データを読み出すと共に、ＥＥＰＲＯＭ４７へ各種データを書き込むことが可能である。なお、ＥＥＰＲＯＭ４７は、ワイヤレスセンタマイコン４１の制御プログラム、通信制御データ、さらに伝送チャネル変更プログラム等の種々のデータを記憶する電気的に書換可能な不揮発性メモリである。
【００３８】
ＳＳ送受信ユニット４５は、Ａ／Ｄ変換器５１と、ＭＰＥＧ２エンコーダ５３と、第１のＳＳ無線送受信エンジン５５と、これらを制御する第１のＳＳ―ＣＰＵ（送信手段）５７とを有している。第１ＡＶセレクタ４３から出力された映像信号および音声信号は、Ａ／Ｄ変換器５１によりＡ／Ｄ変換され、例えばＭＰＥＧ２エンコーダ５３によりＭＰＥＧ２形式にエンコードされ、ワイヤレスセンタマイコン４１からのＴＶコマンド（送受信コマンド）５７ａに基づいてＭＰＥＧ２形式にエンコードされる。そして、このエンコードされたデータは、第１のＳＳ―ＣＰＵ５７の制御の下、第１のＳＳ無線送受信エンジン５５によって、ＴＶ本体５側に送られる。また、第１のＳＳ無線送受信エンジン５５は、第１のＳＳ―ＣＰＵ５７に制御されることにより、種々のコマンド（データ）をＴＶ本体５との間で双方向に通信する。
【００３９】
つぎに、ＴＶ本体５の構成について図３に基づいて説明する。同図に示すように、ＴＶ本体５は、ＴＶマイコン６６と、ＳＳ送受信ユニット６１と、第２ＡＶセレクタ６７と、ＴＶモニタ（液晶ディスプレイ，表示部）７１と、リモートコントロール装置（図５）の入力を受け付けるリモコン受光部７５と、を有している。ＳＳ送受信ユニット６１は、第２のＳＳ無線送受信エンジン７７と、ＭＰＥＧ２デコーダ８１と、Ｄ／Ａ変換器８３と、これらを制御する第２のＳＳ―ＣＰＵ８５とを有している。さらに、ＴＶ本体５は、バッテリー駆動に対応しており、それに応じてバッテリー８７ｂとバッテリーチャージャーマイコン８７ａとを有している。
【００４０】
ここで、ＴＶマイコン６６は、ＥＥＰＲＯＭ（第２記憶手段、記憶部）６５に格納されている各種データを読み出すと共に、ＥＥＰＲＯＭ６５へ各種データを書き込むことが可能である。なお、ＥＥＰＲＯＭ６５は、ＴＶ本体５の制御プログラム、通信制御データ、さらに伝送チャネル変更プログラム等の種々のデータを記憶する電気的に書換可能な不揮発性メモリである。
【００４１】
ワイヤレスセンタ３側から送られＭＰＥＧ２形式にエンコードされているストリーミング情報（上記のエンコードされたデータ）は、ＴＶマイコン６６からのＴＶコマンド（送受信コマンド）７１を受けた第２のＳＳ―ＣＰＵ（受信手段）８５の指示により、ＳＳ送受信ユニット６１内の第２のＳＳ無線送受信エンジン７７において受信され、ＭＰＥＧ２デコーダ８１においてデコードされ、Ｄ／Ａ変換器８３においてＤ／Ａ変換される。さらに、Ｄ／Ａ変換されることにより生成した映像信号および音声信号は、第２ＡＶセレクタ６７に送られる。そして、第２ＡＶセレクタ６７は、この映像信号および音声信号と、ビデオ４入力端子（外部入力４）２１からの映像信号および音声信号（例えば、ビデオデッキ等の外部装置からの映像信号等）とのいずれを選択するかをＴＶマイコン６６からのソース選択コマンド６７ａに基づいて選択する。ここで、選択された映像信号（第一の映像のデータ）および音声信号は、ＯＳＤ合成部９３ａを介してＴＶモニタ７１に送られる。これにより、第２ＡＶセレクタ（第一映像生成手段）６７により選択された映像信号に基づく映像がＴＶモニタ７１に表示される。なお、以下では、ワイヤレスセンタ３によって受信されたテレビ放送の映像がＴＶモニタ７１に表示されているものとするが、ここで、テレビ放送の映像とは、地上波アナログ放送、地上波デジタル放送のテレビ映像のみならず、衛星放送の映像、データ放送の映像、ＣＡＴＶ放送の映像等も含まれる。また、ＴＶモニタ７１に表示される映像（第一の映像）は、テレビ放送用の映像に限られるものではなく、ビデオデッキやＤＶＤレコーダからの再生映像であってもよい。
【００４２】
また、本実施の形態におけるＴＶ本体５は、ＯＳＤ機能を有している。以下では、ＯＳＤ機能を実現するための構成について説明する。なお、本実施の形態におけるＯＳＤ機能とは、ＴＶモニタ７１に表示されている映像上の一部領域に、この映像とは異なる映像（以下、ＯＳＤ映像という）を重畳して表示する機能をいう。
【００４３】
また、本実施の形態におけるＯＳＤ映像（第二の映像）とは、ワイヤレスセンタ３，ＴＶモニタ７１に関連する情報に基づいて生成される映像であり、例えば、ワイヤレスセンタ３またはＴＶモニタ７１の設定状態（選局されているチャンネル番号，出力音量，映像の明るさ等）を示す映像、受信可能なチャンネル番号を示す映像、ワイヤレスセンタ３またはＴＶモニタ７１を操作するためのＧＵＩ映像、ワイヤレスセンタ３が受信するテレビ放送用の映像信号以外のデータに基づく映像（例えば、ＥＰＧ）がある。
【００４４】
なお、利用者は、ＴＶモニタ７１にＧＵＩ映像をＯＳＤ表示させる場合、このＧＵＩ映像を介して、選局チャンネルの切り替え、音量調整、表示される映像の輝度調整、タイマー設定等の各種操作を行うことができる。また、利用者は、上記ＧＵＩ映像に表示されている各種制御コマンドの選択、決定、取り消し等をリモートコントロール装置２００（図５参照）を操作して行ってもよく、また、ＴＶ本体５に取り付けられているコントローラ（不図示）を操作して行ってもよい。
【００４５】
本実施の形態においては、利用者がリモートコントロール装置２００を操作することによってＯＳＤ表示の指示をＴＶ本体５に入力すると、ＴＶマイコン（第二映像生成手段）６６が、ＥＥＰＲＯＭ６５に格納されている各種データに基づいて、この指示に応じたＯＳＤ映像データ（第二の映像のデータ）を生成し、ＯＳＤ合成部９３ａへ出力する（図１０参照）。そして、ＯＳＤ合成部（映像重畳手段）９３ａが、ＴＶモニタ７１に表示されているテレビ放送の映像に対してＯＳＤ映像を重畳する処理を行う。以下、このＯＳＤ合成部９３ａについて詳細に説明する。
【００４６】
ＯＳＤ合成部９３ａは、図１０に示すように、同期信号分離部１９３およびスイッチ１９４を備えている。スイッチ１９４は、ＴＶマイコン６６から入力するタイミング制御信号に基づいて、同期信号分離部１９３とＴＶモニタ７１との接続／切断、ＴＶマイコン６６とＴＶモニタ７１との接続／切断を切り替えるスイッチである。同期信号分離部１９３は、第２ＡＶセレクタ６７より送られる映像信号から映像同期信号を分離して、上記映像信号をスイッチ１９４へ出力すると共に、上記映像同期信号をＴＶマイコン６６へ出力するブロックである。
【００４７】
以上の構成において、まず、同期信号分離部１９３は、入力する映像信号から映像同期信号を分離し、上記映像信号をスイッチ１９４へ送信すると共に、上記映像同期信号をＴＶマイコン６６へ送信する。
【００４８】
ここで、ＴＶマイコン６６は、利用者からのＯＳＤ表示の指示を入力した場合、この指示に応じたＯＳＤ映像データを生成し、ＯＳＤ合成部９３ａへ出力する。さらに、ＴＶマイコン６６は、同期信号分離部１９３からの映像同期信号に基づき、スイッチ１９４を切り替えるタイミングを示したタイミング制御信号を生成し、このタイミング制御信号をスイッチ１９４へ送信する。
【００４９】
そして、スイッチ１９４は、このタイミング制御信号に基づき、同期信号分離部１９３とＴＶモニタ７１との接続／切断、ＴＶマイコン６６とＴＶモニタ７１との接続／切断を切り替える。これにより、利用者からのＯＳＤ表示の指示がＴＶ本体５に入力されると、ＴＶマイコン６６からＴＶモニタ７１へＯＳＤ映像データが送られ、ＴＶモニタ７１上に表示されているテレビ放送の映像上にＯＳＤ映像が重畳される。
【００５０】
つまり、ＴＶマイコン６６から出力されるＯＳＤ映像データは、第２ＡＶセレクタ６７とＴＶモニタ７１との間に位置するＯＳＤ合成部９３ａに入力される。ＴＶマイコン６６は、例えば、後述するリモートコントロール装置（図５参照）の入力キーなどを用いて入力されたコマンドをリモコン受光部７５において受け取り、この受け取ったコマンドに基づいて、ＴＶモニタ７１にＯＳＤ表示を行う。
【００５１】
つぎに、ワイヤレスセンタ３とＴＶ本体５との間で送受信されるデータについて詳細に説明する。図４に示すように、本実施の形態によるワイヤレスＡＶシステム１において、ワイヤレスセンタ３側とＴＶ本体５側との間でやり取りされる送受信データ１３１は、第１のＳＳ無線送受信エンジン５５と第２のＳＳ無線送受信エンジン７７との間で、アイソサイクル（isocycle）１３２によって規定された一定周期毎に送受信処理を行う。送受信データパケットの構成は、ルート（Ｒ）であるワイヤレスセンタ３からリーフ（Ｌ）であるＴＶ本体５に送られるＲパケット１３３と、ギャップ１３４と、ギャップ１３４を挟んでリーフ（Ｌ）であるＴＶ本体５からルート（Ｒ）であるワイヤレスセンタ３に送られるＬパケット１３５とを有して構成されている。
【００５２】
Ｒパケット１３３は、ロングプリアンブル（１Ｍｂｐｓ）を使用する部分と、その他のデータ部分（１１ＭＨｚ）と、を含んでいる。ロングプリアンブル（１Ｍｂｐｓ）を使用する部分は、シンクロナスデータ１４１とＰＨＹヘッダデータ１４３を含んでおり、１９２μｓの期間である。一方、その他のデータ部分は、ＭＡＣヘッダ１４５と、コントロールデータ（ＣＢ）１４７と、非同期データにより構成されるステイタスコマンドデータ１５１と、同期データ（アイソクロナスデータ）１５３とを有している。ステイタスコマンドデータ１５１は、ワイヤレスセンタ３からＴＶ本体５側へ送られるステータス・コマンドを含むデータである。同期データ１５３はＭＰＥＧ２のＡＶストリームデータである。
【００５３】
上記Ｒパケット１３３に続き、１２９μｓのギャップ部（ＧＡＰ）１３４が設けられ、次いで、ＴＶ本体５側からワイヤレスセンタ３に送られるＬパケット１３５が設けられている。Ｌパケット１３５は、Ｒパケット１３３と同様に、ロングプリアンブル（１Ｍｂｐｓ）を使用する部分１６１、１６３と、その他のデータ部分（１１ＭＨｚ）である、ＭＡＣヘッダ部１６５、リトライタグ１６７と、非同期データ部１７１と、を含んでいる。非同期データ部１７１は、ＴＶ本体５側からワイヤレスセンタ３側へ送られるステータス・コマンドを含むデータである。後述するように、ＴＶモニタ７１に表示されたＧＵＩ上で選択され確定されたコマンドデータは、非同期データ部１７１に含めてＴＶ本体５側からワイヤレスセンタ３側に送られる。ワイヤレスセンタ３側においては、上記コマンドデータに基づいて指示されたコマンドを実行する。以上説明したデータが、全体として３.６ｍｓサイクルで送られる。
【００５４】
図５は、ＴＶ本体５側のリモコン受光部７５を介して種々の操作を行う入力部としての機能を有するリモートコントロール装置２００の構成例である。図５に示すように、リモートコントロール装置２００は、チャンネル番号を入力するチャンネル番号入力部２０１と、メニュー表示ボタン２０２と、選択・決定ボタン２０３ａ・２０３ｂと、アップダウン選局ボタン２０５と、電源スイッチ２０７と、（外部）入力切換ボタン２０８と、を有している。図６および図７は、ＴＶモニタ７１上に表示されるＯＳＤ映像の例を示す図であり、リモートコントロール装置２００における入力に基づいてＴＶマイコン６６がＴＶモニタ７１に表示させたＯＳＤ映像の例である。
【００５５】
まず、図８に示すように、リモートコントロール装置２００を用いてメニューボタン２０２を押すと（Ｓ１）、ＴＶモニタ７１には、例えば、図６（ａ）に示すような表示が行われる（Ｓ２）。このメニュー表示では、例として、映像調整と、省エネ設定と、本体設定と、チャンネル設定とタイマー設定とが表示されている。ここで、チャンネル設定を選択すると（Ｓ３）、図６（ｂ）に示す表示が行われる（Ｓ４）。図６（ｂ）に示すように、チャンネル設定に関するメニュー表示には、例えば、オートプリセットと、マニュアルメモリーと、地域番号と、実行と、が表示されている。ここではオートプリセットを選択すると（Ｓ５）、図６（ｃ）に示すようなメニュー表示となり、ここで決定ボタン２０３ｂを押すことによりオートプリセット処理を行う旨が決定され、上下選択ボタン２０３ａにより図７（ａ）に示すように実行を選択し決定ボタン２０３ｂを押すことによりオートプリセット処理の実行が確定する（Ｓ７）。上記の処理は、ＴＶ本体５側において行われる。以上の手順によりワイヤレスセンタ３側に実行させるための処理（オートプリセット処理）が確定したため、これをワイヤレスセンタ３側に対するコマンドに変換し（Ｓ７）、図４に示す非同期データ部１７１に含めてＴＶ本体５側からワイヤレスセンタ３側に送る（Ｓ８）。
【００５６】
ワイヤレスセンタ３側において上記オートプリセットを実行する旨のコマンドを受け取ると、図７（ｂ）に示すように、チャンネル関係の表示画面においてオートプリセット中である旨の表示がされ、オートプリセット処理が完了すると（Ｓ９）、関連する情報（チャンネル特定情報）がＴＶ本体５側に送られ（Ｓ１０）、図７（ｃ）に示すように、ダイレクト選局ボタンに対応した選局番号の順に左上から記憶されたチャンネル番号の一覧２１３がＴＶモニタ７１に表示される。図７（ｃ）に示す例では、１，３，４，６，８，１０，１２のチャンネル番号は、各々同一の選局番号に対応して記憶され、１３から６２チャンネルのうちの３８，４２，４６は、空きの選局番号に記憶される。リモコンにおける１チャンネルの位置には１チャンネルが、２チャンネルの位置には１４チャンネルが、３チャンネルの位置には３チャンネルが、４チャンネルの位置には４チャンネルが、５チャンネルの位置には３８チャンネルがというように、対応付けされている。例えばこれらの対応付けされた情報は、チャンネル特定情報として、ＴＶ本体５側に送られ、図３に示すＥＥＰＲＯＭ６５に記憶される。
【００５７】
本実施の形態によるワイヤレスＡＶシステム１においては、ＴＶ本体５側に設けられたＴＶマイコン６６において、ＴＶモニタ７１に表示されるＯＳＤ映像を生成し、処理に関する選択などを全てＴＶ本体５側において行うことができるため、従来のようにＯＳＤ映像を含むビデオ信号をＡＶストリームへ変換するために表示レスポンスが劣化するという問題を解消できる。
【００５８】
以上、本発明に関して実施の形態に沿って説明を行ったが、本発明はこれらの例に限定されるものではなく、種々の変形が可能であるのは言うまでもない。また、テレビ放送の受信を行うシステムを例にして説明したが、他のＡＶシステムにも適用可能である。また、ワイヤレスであるＡＶ機器に対して適用した例に基づいて説明したが有線などによりネットワーク化されたＡＶ機器にも適用できるのは言うまでもない。また、切換処理に関して映像のミュート処理を行うことを例にして説明したが、他の映像処理を行っても良い。
【００５９】
〔実施の形態２〕
本実施の形態では、実施の形態１にて説明したオートプリセット処理とは異なる態様のオートプリセット処理について説明する。なお、以下では、説明の便宜上、実施の形態１で説明した部材と実質的に同一の機能を奏する部材については、同一の符号を付し、その説明を省略する。また、実施の形態１で述べた各種の特徴点については、本実施の形態についても組み合わせて適用し得るものとする。
【００６０】
図１１は、本実施の形態に係るオートプリセット処理のうち、ＴＶ本体５側で実行される処理の手順を示したフローチャートである。
【００６１】
まず、ＴＶモニタ７１上に表示されているテレビ番組の映像上に、図６（ａ）に示すメニュー選択用映像がＯＳＤ表示されているものとする。図１０に示すＳ１１において、利用者がリモートコントロール装置２００を操作して、チャンネル設定メニューを選択すると（Ｓ１１）、ＴＶマイコン６６は、チャンネル設定用映像のデータをＥＥＰＲＯＭ６５から読み出し、ＯＳＤ合成部９３ａへ出力する（Ｓ１２）。これにより、ＴＶモニタ７１において、図６（ｂ）に示されるチャンネル設定用映像がＯＳＤ表示される（Ｓ１３）。
【００６２】
ここで、利用者が、チャンネル設定用映像に表示されている各項目のうち、オートプリセット処理を選択すると（Ｓ１４においてＹｅｓ）、ＴＶマイコン６６は、オートプリセット処理の実行を示すコマンドを出力する（Ｓ１５）。なお、その他の処理が選択された場合（Ｓ１４においてＮｏ）、その他の処理が実行される（Ｓ１６）。
【００６３】
そして、Ｓ１５においてＴＶマイコン６６が出力したコマンドは、ＳＳ送受信ユニット６１に送られる（Ｓ１７）。さらに、このコマンドを受け取ったＳＳ送受信ユニット６１は、第２のＳＳ−ＣＰＵ８５の制御の下、第２のＳＳ無線送受信エンジン７７を介して、ワイヤレスセンタ３にこのコマンドを送信する（Ｓ１８）。これにより、ワイヤレスセンタ３側に処理が移行される（Ｓ１９）。
【００６４】
つぎに、上記のコマンドを受け取ったワイヤレスセンタ３において実行される処理を図１２に基づいて説明する。図１２は、図１１におけるＳ１９の処理の詳細を示したものであり、ワイヤレスセンタ３側で実行される処理の手順を示したフローチャートである。
【００６５】
Ｓ１８に示すコマンド（図１１参照）がＴＶ本体５から送信されると、ワイヤレスセンタ３のＳＳ送受信ユニット４５はこのコマンドを受信する（Ｓ３１）。そして、受信されたコマンドは、第１のＳＳ−ＣＰＵ５７の制御の下、ワイヤレスセンタマイコン４１に入力される（Ｓ３２）。
【００６６】
さらに、このコマンドを受け取ったワイヤレスセンタマイコン４１は、コマンドの示す内容を解析する（Ｓ３３）。ここで、コマンドの内容がオートプリセット操作を指示するものである場合（Ｓ３４においてＹｅｓ）、ＢＳチューナ３３およびＵ／Ｖチューナ３１に対してチャンネルサーチの制御信号を出力する（Ｓ３５）。なお、Ｓ３３において、コマンドの内容がその他の指示である場合（Ｓ３４においてＮｏ）、その他の処理が実行される（Ｓ３６）。
【００６７】
そして、チャンネルサーチの制御信号を受け取った両チューナ３１、３３は、チャンネルサーチを行い、受信可能なチャンネルと受信不可能なチャンネルとを示すチャンネル特定情報をワイヤレスセンタマイコン４１へ出力する（Ｓ３７）。
【００６８】
さらに、このチャンネル特定情報を受け取ったワイヤレスセンタマイコン４１は、ＳＳ送受信ユニット４５にチャンネル特定情報を送信する。そして、ＳＳ送受信ユニット４５は、第１のＳＳ−ＣＰＵ５７の制御の下、第１のＳＳ無線送受信エンジン５５を介して、ＴＶ本体５にチャンネル特定情報を送信する（Ｓ３８）。
【００６９】
つぎに、ワイヤレスセンタ３から上記のチャンネル特定情報が送信された後のＴＶ本体５側の処理について図１１に基づいて説明する。
【００７０】
ワイヤレスセンタ３から上記のチャンネル特定情報が送信されると、このチャンネル特定情報は、第２のＳＳ−ＣＰＵ８５の制御の下、第２のＳＳ無線送受信エンジン７７に受信される（Ｓ２０）。そして、この受信されたチャンネル特定情報は、ＴＶマイコン６６の制御の下、ＥＥＰＲＯＭ６５に記憶される（Ｓ２１）。
【００７１】
以上のように、本実施の形態のワイヤレスＡＶシステム１では、受信可能なチャンネルと受信不可能なチャンネルを示すチャンネル特定情報（関連データ）を、ＴＶ本体５におけるＥＥＰＲＯＭ６５に記憶させている。したがって、ＴＶモニタ７１に表示されているテレビ番組の映像上に、図７（ｃ）に示すような受信可能なチャンネルを示すＯＳＤ映像を重畳して表示する場合、ＴＶマイコン６６が、ＥＥＰＲＯＭ６５に記憶されているチャンネル特定情報に基づいてＯＳＤ映像のデータを生成し、ＯＳＤ合成部９３ａが、ＴＶモニタ７１に表示されているテレビ番組の映像上にこのＯＳＤ映像を重畳して表示することになる。
【００７２】
つまり、本実施の形態によれば、ワイヤレスセンタ３からのデータに基づくＯＳＤ映像を表示する場合、このＯＳＤ映像をワイヤレスセンタ３側で生成せず、ＴＶ本体５側で生成している。したがって、このＯＳＤ映像をワイヤレスセンタ３側で生成する従来の構成と比べ、テレビ番組の映像にＯＳＤ映像を重畳したデータをエンコード・デコードする必要がなく、ＯＳＤ表示に関し、利用者の指示の入力に対する応答速度を向上させることが可能となる。
【００７３】
特に、本実施の形態のように、ＥＥＰＲＯＭ６５に記憶されているデータに基づいてＯＳＤ映像のデータを生成する場合、利用者からＯＳＤ映像表示の指示を入力すると、直ぐにＯＳＤ表示を行うことが可能となる。
【００７４】
〔実施の形態３〕
本実施の形態では、ＧＵＩとしてのＥＰＧ映像（ＯＳＤ映像）をＴＶモニタ７１にＯＳＤ表示する処理について説明する。
【００７５】
なお、以下では、説明の便宜上、実施の形態１で説明した部材と実質的に同一の機能を奏する部材については、同一の符号を付し、その説明を省略する。また、実施の形態１で述べた各種の特徴点については、本実施の形態についても組み合わせて適用し得るものとする。
【００７６】
また、本実施の形態のワイヤレスＡＶシステム１では、Ｕ／Ｖチューナ３１からデジタル放送用地上波を受信し、このデジタル放送用地上波にはＥＰＧデータが付加されているものとする。さらに、ワイヤレスセンタ３は、このＥＰＧデータを受信すると、このＥＰＧデータをＴＶ本体５へ送信し、ＴＶ本体５において、ＴＶマイコン６６が、ワイヤレスセンタ３から送られてきたＥＰＧデータ（関連データ）をＥＥＰＲＯＭ６５に格納できる構成であるものとする。
【００７７】
なお、ワイヤレスセンタ３がＢＳチューナ３３から衛星デジタル放送波を受信する構成である場合、ワイヤレスセンタ３はその放送波に付加されているＥＰＧデータをＴＶ本体５へ送信するようにしてもよい。
【００７８】
図１３は、ＥＰＧ映像をＯＳＤ表示する手順について示したフローチャートである。まず、利用者が、リモートコントロール装置２００を操作して、ＥＰＧの表示指示を入力すると（Ｓ４１）、ＴＶマイコン６６が、ＥＰＧ映像のテンプレートデータをＥＥＰＲＯＭ６５から読み出す（Ｓ４２）。なお、このテンプレートデータとは、ＥＰＧ映像をＧＵＩとして機能させるために必要な定型データである。
【００７９】
さらに、ＴＶマイコン６６は、ＥＥＰＲＯＭ６５にＥＰＧデータが記憶されているか否かを判定する（Ｓ４３）。ここで、このＥＰＧデータがＥＥＰＲＯＭ６５に既に記憶されている場合（Ｓ４３においてＹｅｓ）、ＴＶマイコン６６は、このＥＰＧデータを読み出す（Ｓ４４）。また、このＥＰＧデータがＥＥＰＲＯＭ６５に記憶されていない場合（Ｓ４３においてＮｏ）、ＴＶマイコン６６は、ＳＳ送受信ユニット６１を介して、ＥＰＧデータの取得の実行を示したコマンドをワイヤレスセンタ３に送信する（Ｓ４５）。これに応じて、ワイヤレスセンタ３側において、ワイヤレスセンタマイコン４１は、Ｕ／Ｖチューナ３１が受信しているデジタル地上波からＥＰＧデータを取得し、このＥＰＧデータをＴＶ本体５へ送信する。これにより、ＴＶマイコン６６は、ＥＰＧデータをワイヤレスセンタ３から取得することができる（Ｓ４６）。
【００８０】
Ｓ４４またはＳ４６によってＥＰＧデータを取得したＴＶマイコン６６は、ＥＰＧデータに示される各番組のコンテンツ情報（番組名、出演者名等）を上記のテンプレートデータにあてはめることにより、ＥＰＧ映像のデータを生成する（Ｓ４７）。そして、このＥＰＧ映像のデータは、ＴＶマイコン６６からＯＳＤ合成部９３ａに送信される。これにより、ＴＶモニタ７１に表示されているテレビ映像上にＥＰＧ映像がＯＳＤ表示される（Ｓ４８）。ここで、図１４（ａ）の参照符３００は、ＥＰＧ映像の一例を示したものである。なお、同図におけるＥＰＧ映像３００の各枠内には便宜上図形を示しているが、実際には番組のコンテンツ情報が表示されているものとする。
【００８１】
以上のように、本実施の形態のワイヤレスＡＶシステム１では、ＴＶ本体５側において、ＴＶマイコン６６が、ＥＥＰＲＯＭ６５からＥＰＧデータを読み出すか、またはワイヤレスセンタ３からＥＰＧデータを取得し、このＥＰＧデータに基づいてＥＰＧ映像を生成する処理を行っている。さらに、ＯＳＤ合成部９３ａが、ＴＶモニタ７１に表示されるテレビ放送の映像上に、このＥＰＧ映像を重畳する処理を行っている。
【００８２】
つまり、本実施の形態によれば、このＥＰＧ映像を生成してテレビ放送の映像に重畳する処理をワイヤレスセンタ３側で行わず、ＴＶ本体５側で行っている。したがって、このＥＰＧ映像を生成してテレビ放送の映像に重畳する処理をワイヤレスセンタ３側で行う従来の構成と比べ、テレビ番組の映像にＥＰＧ映像を重畳した重畳映像のデータをエンコード・デコードする必要がなく、ＥＰＧ映像をＯＳＤ表示する処理に関し、利用者の指示の入力に対する応答速度を向上させることが可能となる。
【００８３】
また、ＴＶマイコン６６が、ＥＥＰＲＯＭ６５に格納されているＥＰＧデータおよびテンプレートデータに基づいてＥＰＧ映像のデータを生成する場合（Ｓ４４，Ｓ４７）、ＥＰＧ映像をＯＳＤ表示する時にＴＶ本体５とワイヤレスセンタ３との間において通信状態が悪化すると、ＴＶモニタ７１に表示されるテレビ番組等の映像は劣化するが、ＯＳＤ表示されるＥＰＧ映像が劣化することはない。これは、既にワイヤレスセンタ３から送信されると共にＥＥＰＲＯＭに保存されたＥＰＧデータに基づき、ＴＶ本体５においてＥＰＧ映像のデータを生成しているため、ＥＰＧ映像の表示については通信状態の良否の影響を受けないからである。
【００８４】
また、ＴＶマイコン６６が、ＥＥＰＲＯＭ６５に格納されているテンプレートデータと、ＥＥＰＲＯＭ６５を介さずにワイヤレスセンタ３から取得したＥＰＧデータとに基づいてＥＰＧ映像のデータを生成する場合（Ｓ４６，Ｓ４７）、ＥＰＧ映像をＯＳＤ表示する時にＴＶ本体５とワイヤレスセンタ３との間において通信状態が悪化すると、ＯＳＤ表示されるＥＰＧ映像のうち、番組のコンテンツ情報を示した箇所は一部劣化するが、このＥＰＧ映像の定型箇所は劣化しない。これは、通信状態が悪化しても、ＥＰＧ映像の定型箇所はＥＥＰＲＯＭ６５に保存されているテンプレートデータに基づいて生成されているため、この定型箇所の表示については通信状態の良否の影響を受けないからである。
【００８５】
さらに、図を用いて具体的に説明する。ＥＰＧ映像の生成処理、テレビ番組の映像にＥＰＧ映像を重畳する処理をワイヤレスセンタ３側にておこなっている従来の構成によれば、ＴＶ本体５とワイヤレスセンタ３との間において通信状態が悪化すると、図１４（ｂ）に示すように、ＴＶモニタ７１に表示される映像全体が劣化する。
【００８６】
これに対し、ＥＥＰＲＯＭ６５に格納されているテンプレートデータと、ＥＥＰＲＯＭ６５を介さずにワイヤレスセンタ３から取得したＥＰＧデータとに基づき、ＴＶ本体５側にてＥＰＧ映像のデータを生成する場合、ＴＶ本体５とワイヤレスセンタ３との間において通信状態が悪化すると、図１４（ｃ）に示すように、ＴＶモニタ７１に表示されるテレビ番組等の映像は劣化するものの、ＥＰＧ映像の定型箇所は劣化していない。但し、ＥＰＧデータの取得について通信状態の良否の影響を受けるため、ＥＰＧデータに基づいて作成される番組のコンテンツ情報を示した箇所（図中の参照符ｂ）については一部抜けが生じる。
【００８７】
なお、以上の各実施の形態では、ＴＶモニタ７１に表示されるテレビ番組の映像を生成する第２ＡＶセレクタ６７、ＴＶモニタ７１に表示されるテレビ番組の映像上にＯＳＤ画像を重畳するＯＳＤ合成部９３ａがハードウェアで実現されている場合を例にして説明したが、これに限るものではない。第２ＡＶセレクタ６７、ＯＳＤ合成部９３ａは、上述した機能を実現するためのプログラムと、そのプログラムを実行するハードウェア（コンピュータ）との組み合わせで実現してもよい。
【００８８】
また、本実施の形態のワイヤレスＡＶシステムは、放送情報に基づく表示を行う表示部と、該表示部にＧＵＩを表示させ、表示されたＧＵＩに基づいて選択される制御項目に対応する制御データを生成するＧＵＩ制御部と、該制御データを送るとともに前記放送情報を受ける第１の送受信部と、を有するＡＶ出力装置と、前記放送情報に関するチャンネル選択を行うチューナ部と、前記第１の送信部とワイヤレスにより関連付けされ前記チューナ部により選局された放送情報を前記第１の送受信部に送るとともに前記制御データを前記第１の送受信部から受け取る第２の送受信部と、を有するワイヤレスセンタと、を具備する構成としてもよい。
【００８９】
さらに、本実施の形態のワイヤレスＡＶシステムは、上記構成に加えて、放送情報に基づく表示を行う表示部と、該表示部にＧＵＩを表示させるためのＯＳＤ出力を生成するとともに、表示された前記ＧＵＩに基づいて選択される制御項目に対応する制御データを生成するＧＵＩ制御部と、該制御データを送るとともに前記放送情報を受ける第１の送受信部と、を有するＡＶ出力装置と、前記放送情報に関するチャンネル選択を行うチューナ部と、前記第１の送信部とワイヤレスにより関連付けされ前記チューナ部により選局された放送情報を前記第１の送受信部に送るとともに前記制御データを前記第１の送受信部から受け取る第２の送受信部と、を有するワイヤレスセンタと、を具備する構成とすることもできる。
【００９０】
また、本実施の形態のワイヤレスＡＶシステムは、上記構成に加えて、さらに、前記ＡＶ出力装置が、前記ＧＵＩに関する操作コマンドをデコードするデコーダを有する構成とすることもできる。
【００９１】
さらに、本実施の形態のワイヤレスＡＶシステムは、上記構成に加えて、前記ＡＶ出力装置は、前記表示部に表示されたＧＵＩに基づいて前記制御データを確定する制御データ入力確定手段と関連付けすることもできる。
【００９２】
また、本実施の形態のＡＶ出力装置は、放送情報に関するチャンネル選択を行うチューナ部と、該チューナ部により選局された放送情報を送る第２の送受信部と、を有するワイヤレスセンタと関連付けされるＡＶ出力装置であって、前記放送情報に基づく表示を行う表示部と、該表示部にＧＵＩを表示させ、表示されたＧＵＩに基づいて選択される制御項目に対応する制御データを生成するＧＵＩ制御部と、該制御データを前記ワイヤレスセンタに送るとともに前記放送情報を受ける第１の送受信部と、を有する構成とすることもできる。
【００９３】
さらに、本実施の形態のＡＶ出力装置は、上記構成に加えて、放送情報に関するチャンネル選択を行うチューナ部を有するワイヤレスセンタと無線により関連付けされるＡＶ出力装置であって、表示部と、該表示部上にＧＵＩを提供するためのＯＳＤを生成するＯＳＤ生成部とを有する構成としてもよい。
【００９４】
また、本実施の形態のＡＶ出力装置は、上記構成に加えて、前記ＯＳＤ生成部は、前記ワイヤレスセンタからのエンコードされたストリーム映像をデコードした後のデータに対してＯＳＤデータを付加する構成としてもよい。
【００９５】
さらに、本実施の形態のワイヤレスセンタは、放送情報に基づく表示を行う表示部と、該表示部にＧＵＩを表示させ、表示されたＧＵＩに基づいて選択される制御項目に対応する制御データを生成するＧＵＩ制御部と、該制御データを送るとともに前記放送情報を受ける第１の送受信部と、を有するＡＶ出力装置と関連付けされ、前記放送情報に関するチャンネル選択を行うチューナ部と、該チューナ部により選局された放送情報を前記ＡＶ出力装置に送るとともに前記制御データを受け取る第２の送受信部と、を有する構成としてもよい。
【００９６】
また、本実施の形態のＧＵＩ提供方法は、放送情報に関するチャンネル選択を行うチューナ部を有するワイヤレスセンタとワイヤレスによって関連付けされ、表示部を有するＡＶ出力装置におけるＧＵＩ提供方法であって、ＧＵＩを操作するための入力に応じてその入力内容をデコードする第１のステップと、デコードされた前記入力内容に関するＯＳＤを生成する第２のステップと、生成されたＯＳＤにより前記表示部にＧＵＩを表示させる第３のステップとを有することとしてもよい。
【００９７】
さらに、本実施の形態のＧＵＩ提供方法は、上記各ステップに加えて、表示されたＧＵＩに基づき制御データを選択し確定するステップと、前記放送情報を受信するとともに確定された前記制御データを前記ワイヤレスセンタに送るステップとを有してもよい。
【００９８】
以上示したワイヤレスＡＶシステムによれば、ＡＶ出力装置側において表示部に表示されるＧＵＩを生成し、ＧＵＩに関する操作をＡＶ出力装置側において行うことができる。
【００９９】
また、以上示したワイヤレスＡＶシステムによれば、ＡＶ出力側に設けられたＯＳＤ出力部において液晶モニタに表示されるＧＵＩを生成し、処理に関する選択などを全てモニタ側において行うため、ＧＵＩ映像を含むビデオ信号をＡＶストリームへ変換するために表示レスポンスが良くないという問題を解消できる。
【０１００】
また、以上示したワイヤレスＡＶシステムによれば、ＡＶ出力装置側において表示部に表示されるＧＵＩを生成し、ＧＵＩに関する操作をＡＶ出力装置側において行うことができる。
【０１０１】
本発明は上述した各実施形態に限定されるものではなく、請求項に示した範囲で種々の変更が可能であり、上述した実施形態において開示された各技術的手段を適宜組み合わせて得られる実施形態についても本発明の技術的範囲に含まれる。
【産業上の利用可能性】
【０１０２】
本発明のワイヤレスシステムは、映像及び／又は音声データを無線伝送する、例えばディスプレイ分離型のワイヤレスＴＶ受信機のような家庭内ＡＶネットワークシステムに好適であるが、これに限定されず、携帯電話機／ＰＨＳ（Personal Handy-Phone System，登録商標）や携帯情報端末（ＰＤＡ（Personal Digital Assistants））、ＴＶ受信機能を内蔵したパソコンモニターなどの無線通信機器に広く適用可能である。
【図面の簡単な説明】
【０１０３】
【図１】本発明の一実施の形態によるワイヤレスＡＶシステムの構成例を示す機能ブロック図である。
【図２】図１に示したワイヤレスＡＶシステムを構成するワイヤレスセンタを示す機能ブロック図である。
【図３】図１に示したワイヤレスＡＶシステムを構成するＴＶ本体を示す機能ブロック図である。
【図４】図１に示したワイヤレスＡＶシステムを構成するワイヤレスセンタとＴＶ本体との間で送受信されるデータの構造例を示した模式図である。
【図５】図１に示したワイヤレスＡＶシステムを構成するリモートコントロール装置を示した模式図である。
【図６】図３のＴＶ本体において表示されるＧＵＩ映像を示した図であり、（ａ）はメニュー画面を示した図であり、（ｂ）はチャンネル設定画面を示した図であり、（ｃ）はオートプリセット機能を選択した後のチャンネル設定画面を示した図である。
【図７】図３のＴＶ本体において表示されるＧＵＩ映像を示した図であり、（ａ）はオートプリセット機能の実行を決定した場合のチャンネル設定画面を示した図であり、（ｂ）はオートプリセット機能の実行中に表示される画面を示した図であり、（ｃ）はプリセットされたチャンネル番号を表示した画面を示した図である。
【図８】図１に示したワイヤレスＡＶシステムにおける処理の流れを示すフローチャートである。
【図９】図１に示したワイヤレスＡＶシステムの概略を示した説明図である。
【図１０】図３に示したＴＶ本体に含まれるＯＳＤ合成部の構成を示した機能ブロック図である。
【図１１】本発明の実施の形態におけるオートプリセット処理において、ＴＶ本体５にて実行される手順を示したフローチャートである。
【図１２】本発明の実施の一形態におけるオートプリセット処理において、ワイヤレスセンタ３にて実行される手順を示したフローチャートである。
【図１３】本発明の実施の一形態におけるＥＰＧ映像を表示する処理の各手順を示したフローチャートである。
【図１４】（ａ）は、図３に示したＴＶ本体において表示される映像を示した図であり、（ｂ）は、ワイヤレスセンタとＴＶ本体との通信状態が悪化した場合における従来の構成のＴＶ本体において表示される映像を示した図であり、（ｃ）は、ワイヤレスセンタとＴＶ本体との通信状態が悪化した場合における図３に示したＴＶ本体において表示される映像を示した図である。
【符号の説明】
【０１０４】
１    ワイヤレスＡＶシステム（ワイヤレスシステム）
３    ワイヤレスセンタ（ベース機器）
５    ＴＶ本体（無線端末）
７ａ  ビデオ１入力端子
７ｂ  ビデオ２入力端子
７ｃ  ビデオ３入力端子
１１ａ  ＡＣ電源端子
１１ｂ  Ｃａｒ−ＤＣ端子
１５ａ  ＢＳアンテナ
１５ｂ  ＵＨＦ／ＶＨＦアンテナ
１５ｃ  ダイバーシティーアンテナ
２１  ビデオ４入力端子
２３ａ  ＡＣ電源端子
２３ｂ  Ｃａｒ−ＤＣ端子
３１  Ｕ／Ｖチューナ
３３  ＢＳチューナ
３５  映像・音声復調器
３７  音声切換部
４１  ワイヤレスセンタマイコン
４３  第１ＡＶセレクタ
４５  ＳＳ送受信ユニット
４７  ＥＥＰＲＯＭ
５１  Ａ／Ｄ変換器
５３  エンコーダ
５５  第１のＳＳ無線送受信エンジン
５７  第１のＳＳ−ＣＰＵ（送信手段）
６１  ＳＳ送受信ユニット
６５  ＥＥＰＲＯＭ（記憶部）
６６  ＴＶマイコン（第二映像生成手段）
６７  第２ＡＶセレクタ（第一映像生成手段）
７１  ＴＶモニタ（表示部）
７５  リモコン受光部
７７  第２のＳＳ無線送受信エンジン
８１  デコーダ
８３  Ｄ／Ａ変換器
８５  第２のＳＳ−ＣＰＵ（受信手段）
９３ａ  ＯＳＤ合成部（映像重畳手段）
１９３  同期信号分離部
１９４  スイッチ
２００  リモートコントロール装置
【図１】
2004336734.tif 000003
【図２】
2004336734.tif 000004
【図３】
2004336734.tif 000005
【図４】
2004336734.tif 000006
【図５】
2004336734.tif 000007
【図６】
2004336734.tif 000008
【図７】
2004336734.tif 000009
【図８】
2004336734.tif 000010
【図９】
2004336734.tif 000011
【図１０】
2004336734.tif 000012
【図１１】
2004336734.tif 000013
【図１２】
2004336734.tif 000014
【図１３】
2004336734.tif 000015
【図１４】
2004336734.tif 000016
【手続補正書】
【提出日】平成16年9月27日(2004.9.27)
【手続補正１】
【補正対象書類名】特許請求の範囲
【補正対象項目名】全文
【補正方法】変更
【補正の内容】
【特許請求の範囲】
【請求項１】
ベース機器との間でデータの送受信を行う無線端末であって、
ベース機器から、第一の映像のデータとこの映像データに関するＥＰＧデータとを受信する受信手段と、
上記第一の映像のデータに基づいて第一の映像を生成する第一映像生成手段と、
上記ＥＰＧデータに基づいて第二の映像を生成する第二映像生成手段と、
上記第一の映像に対して第二の映像を重畳し、重畳した映像を表示部に表示する映像重畳手段と、
上記受信手段が受信する上記ＥＰＧデータを記憶する書換可能な不揮発性メモリとを含み、
上記第二映像生成手段は、上記不揮発性メモリに記憶されている上記ＥＰＧデータに基づいて、第二の映像を生成することを特徴とする無線端末。
【請求項２】
上記第二映像生成手段は、上記無線端末が保持するテンプレートデータに対して上記ＥＰＧデータを付加することにより第二の映像を生成することを特徴とする請求項１に記載の無線端末。
【請求項３】
上記第一の映像とは、テレビ放送の映像であることを特徴とする請求項１または２に記載の無線端末。
【請求項４】
請求項１または２に記載の無線端末へ上記第１の映像のデータおよび上記ＥＰＧデータを送信する送信手段を含むことを特徴とするベース機器。
【請求項５】
請求項１または２に記載の無線端末と、
請求項１または２に記載の無線端末へ上記第一の映像のデータおよび上記ＥＰＧデータを送信する送信手段を含むベース機器と、
から構成されることを特徴とするワイヤレスシステム。
【請求項６】
ベース機器との間でデータの送受信を行う無線端末の制御方法であって、
ベース機器から、第一の映像のデータとこの映像データに関するＥＰＧデータとを受信するステップと、
上記第一の映像のデータに基づいて第一の映像を生成するステップと、
上記ＥＰＧデータに基づいて第二の映像を生成するステップと、
上記第一の映像に対して第二の映像を重畳し、重畳した映像を表示部に表示するステップと、
上記ベース機器から受信した上記ＥＰＧデータを書換可能な不揮発性メモリに書き込むステップとを含み、
上記第二の映像を生成するステップでは、上記不揮発性メモリに記憶されている上記ＥＰＧデータに基づいて、第二の映像を生成することを特徴とする無線端末の制御方法。
【請求項７】
請求項１または２に記載の無線端末を動作させる制御プログラムであって、コンピュータを上記の各手段として機能させるための無線端末の制御プログラム。
【請求項８】
請求項７に記載の無線端末の制御プログラムを記録したコンピュータ読み取り可能な記録媒体。
【手続補正２】
【補正対象書類名】明細書
【補正対象項目名】０００９
【補正方法】変更
【補正の内容】
【０００９】
上記目的を達成するために、本発明の無線端末は、ベース機器との間でデータの送受信を行う無線端末であって、ベース機器から、第一の映像のデータとこの映像データに関するＥＰＧデータとを受信する受信手段と、上記第一の映像のデータに基づいて第一の映像を生成する第一映像生成手段と、上記ＥＰＧデータに基づいて第二の映像を生成する第二映像生成手段と、上記第一の映像に対して第二の映像を重畳し、重畳した映像を表示部に表示する映像重畳手段と、上記受信手段が受信する上記ＥＰＧデータを記憶する書換可能な不揮発性メモリとを含み、上記第二映像生成手段は、上記不揮発性メモリに記憶されている上記ＥＰＧデータに基づいて、第二の映像を生成することを特徴とする。
【手続補正３】
【補正対象書類名】明細書
【補正対象項目名】００１０
【補正方法】変更
【補正の内容】
【００１０】
また、上記の目的を達成するために、本発明の無線端末の制御方法は、ベース機器との間でデータの送受信を行う無線端末の制御方法であって、ベース機器から、第一の映像のデータとこの映像データに関するＥＰＧデータとを受信するステップと、上記第一の映像のデータに基づいて第一の映像を生成するステップと、上記ＥＰＧデータに基づいて第二の映像を生成するステップと、上記第一の映像に対して第二の映像を重畳し、重畳した映像を表示部に表示するステップと、上記ベース機器から受信した上記ＥＰＧデータを書換可能な不揮発性メモリに書き込むステップとを含み、上記第二の映像を生成するステップでは、上記不揮発性メモリに記憶されている上記ＥＰＧデータに基づいて、第二の映像を生成することを特徴とする。
【手続補正４】
【補正対象書類名】明細書
【補正対象項目名】００１１
【補正方法】変更
【補正の内容】
【００１１】
上記構成によれば、ベース機器から第一の映像のデータを受信し、上記第一の映像のデータに基づいて第一の映像を生成すると共に、ベース機器から上記ＥＰＧデータを受信し、上記ＥＰＧデータに基づいて第二の映像を生成している。さらに、上記第一の映像に対して第二の映像を重畳し、重畳した映像を表示部に表示している。つまり、上記構成によれば、第二の映像の生成処理、および第一の映像と第二の映像との重畳処理を無線端末にて実施している。したがって、上記構成によれば、これらの処理をベース機器側で行っている従来の構成と比べ、重畳した映像のデータをエンコード・デコードする必要がないため、第一の映像と第二の映像とを重畳した映像の表示に関し、利用者の指示の入力に対する応答速度を向上できる。
【手続補正５】
【補正対象書類名】明細書
【補正対象項目名】００１２
【補正方法】変更
【補正の内容】
【００１２】
なお、上記の第一の映像には、上記ベース機器が受信するテレビ放送の映像、ビデオデッキまたはＤＶＤ（Digital Versatile Disc）レコーダから再生される映像が含まれる。また、テレビ放送用の映像には、地上波アナログ放送、地上波デジタル放送のテレビ映像のみならず、衛星放送の映像、データ放送の映像、ＣＡＴＶ放送を受信したセットトップボックスから出力される映像（ＣＡＴＶ放送の映像）も含まれる。また、上記の第二の映像は、ＥＰＧ（Electronic Program Guide）映像である。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】変更
【補正の内容】
【００１４】
また、上記構成によれば、ベース機器から受信したＥＰＧデータは書換可能な不揮発性メモリに記憶されることになる。従って、利用者から上記重畳した映像を表示する指示が入力された時点で、既にＥＰＧデータが書換可能な不揮発性メモリに記憶されていれば、直ぐに第二の映像を生成できる。
【手続補正８】
【補正対象書類名】明細書
【補正対象項目名】００１５
【補正方法】変更
【補正の内容】
【００１５】
なお、無線端末とベース機器との間で通信状態が悪化しても、利用者から上記重畳した映像を表示する指示が入力された時点で既に書換可能な不揮発性メモリにＥＰＧデータが記憶されていれば、悪化した通信状態の影響を受けずに第二の映像を生成することができ、第二の映像を劣化させることなく表示部に表示させることができる。
【手続補正９】
【補正対象書類名】明細書
【補正対象項目名】００１６
【補正方法】変更
【補正の内容】
【００１６】
本発明の無線端末は、上記構成に加えて、上記第二映像生成手段は、上記無線端末が保持するテンプレートデータに対して上記ＥＰＧデータを付加することにより第二の映像を生成することを特徴とする。
【手続補正１０】
【補正対象書類名】明細書
【補正対象項目名】００１７
【補正方法】変更
【補正の内容】
【００１７】
上記構成によれば、第二の映像とは、テンプレートデータ（定型データ）に対して上記ＥＰＧデータを付加することにより生成されるものであるため、第二の映像には定型箇所と非定型箇所とがある。ここで、上記のテンプレートデータは無線端末が所持しているものであるため、無線端末とベース機器との間で通信状態が悪化しても、上記重畳した映像における第二の映像の定型箇所については通信状態の悪化の影響を受けない。
【手続補正１１】
【補正対象書類名】明細書
【補正対象項目名】００１９
【補正方法】変更
【補正の内容】
【００１９】
本発明の無線端末は、上記構成に加えて、上記第一の映像とは、テレビ放送の映像であることを特徴とする。
【手続補正１２】
【補正対象書類名】明細書
【補正対象項目名】００２０
【補正方法】変更
【補正の内容】
【００２０】
上記構成によれば、ＥＰＧデータに基づいて第二の映像を生成し、この第二の映像をテレビ放送の映像に重畳して表示している。したがって、利用者からすれば、番組ガイドを確認しながら、テレビ番組を鑑賞することが可能になる。なお、テレビ放送用の映像には、地上波アナログ放送、地上波デジタル放送のテレビ映像のみならず、衛星放送の映像、データ放送の映像、ＣＡＴＶ放送を受信したセットトップボックスから出力される映像（ＣＡＴＶ放送の映像）も含まれる。
【手続補正１３】
【補正対象書類名】明細書
【補正対象項目名】００２１
【補正方法】変更
【補正の内容】
【００２１】
上記目的を達成するために、本発明のベース機器は、上記無線端末へ上記第一の映像のデータおよび上記ＥＰＧデータを送信する送信手段を含むことを特徴とする。
【手続補正１４】
【補正対象書類名】明細書
【補正対象項目名】００２３
【補正方法】変更
【補正の内容】
【００２３】
上記目的を達成するために、本発明のワイヤレスシステムは、上記無線端末と、上記無線端末へ上記第一の映像のデータおよび上記ＥＰＧデータを送信する送信手段を含むベース機器と、から構成される。